(57)【要約】【課題】本発明の目的は、洗濯物などの干し物の乾燥時間の短縮化を図ることができる物干し補助具を提供することにある。【解決手段】物干し補助具１は、物干し部材の側部から物干し部材を差し込み可能な物干し差込口３ａと、物干し差込口３ａの下方でハンガーのフックを引っ掛けてハンガーを吊下げるハンガー吊下げ部５と、ハンガー吊下げ部５に設けられ、物干し差込口３ａを含む平面に平行な仮想平面α内でのフックの回転を抑制する第１及び第２フック回転抑制部５１，５３とを有している。【選択図】図３
2016010610.tif 000002
【特許請求の範囲】
【請求項１】
物干し部材の側部から前記物干し部材を差し込み可能な物干し差込口と、
前記物干し差込口の下方でハンガーのフックを引っ掛けて前記ハンガーを吊下げるハンガー吊下げ部と、
前記ハンガー吊下げ部に設けられ、前記物干し差込口を含む平面に平行な仮想平面内での前記フックの回転を抑制するフック回転抑制部と
を有することを特徴とする物干し補助具。
【請求項２】
前記フック回転抑制部は、
前記フックを保持するフック保持部を有し、
前記フック保持部の内壁で前記回転を抑制すること
を特徴とする請求項１記載の物干し補助具。
【請求項３】
前記フック回転抑制部は、少なくとも一部が前記内壁で囲まれて前記フックを挿入する開口部を有すること
を特徴とする請求項２記載の物干し補助具。
【請求項４】
前記フック保持部の先端側の前記開口部の端部は、該先端側に近付くほど幅が狭く形成されていること
を特徴とする請求項３記載の物干し補助具。
【請求項５】
前記ハンガー吊下げ部は、前記物干し差込口の間隙と同じ長さの間隔で対向配置された２つの前記フック回転抑制部を有すること
を特徴とする請求項２から４までのいずれか一項に記載の物干し補助具。
【請求項６】
前記フック回転抑制部は、前記物干し差込口から伸びて形成された薄板形状を有すること
を特徴とする請求項５記載の物干し補助具。
【請求項７】
一方の前記フック回転抑制部に設けられた前記内壁と、他方の前記フック回転抑制部に設けられた内壁とは、前記回転を協働して抑制すること
を特徴とする請求項６記載の物干し補助具。
【請求項８】
前記物干し差込口を側壁の一部に備え、前記ハンガー吊下げ部を前記物干し部材に支持する支持部を有すること
を特徴とする請求項１から７までのいずれか一項に記載の物干し補助具。
【請求項９】
前記支持部と前記フック回転抑制部との境界に括れ部を有すること
を特徴とする請求項８記載の物干し補助具。
【請求項１０】
前記支持部と前記ハンガー吊下げ部とに跨って前記括れ部に形成されたリブ部材をさらに有すること
を特徴とする請求項９記載の物干し補助具。
【発明の詳細な説明】
【技術分野】
【０００１】
本発明は、物干し竿など物干し部材に取り付けて用いられる物干し補助具に関する。
【背景技術】
【０００２】
従来、洗濯物などの干し物の乾燥時間を短くするために、物干し竿などに取り付けて用いられる物干し補助具が知られている（特許文献１から３）。
【先行技術文献】
【特許文献】
【０００３】
【特許文献１】特開２００１−９６０９２号公報
【特許文献２】特許第４００２９０８号公報
【特許文献３】実用新案登録第３０８３９９８号公報
【発明の概要】
【発明が解決しようとする課題】
【０００４】
物干し竿等に複数の干し物を掛けた場合、風などによって干し物が揺れ動いて干し物同士が重なって干し物の下方で空気が流れにくくなってしまい、干し物の乾燥に長時間を要するという問題がある。
【０００５】
本発明の目的は、洗濯物などの干し物の乾燥時間の短縮化を図ることができる物干し補助具を提供することにある。
【課題を解決するための手段】
【０００６】
本発明の一態様による物干し補助具は、物干し部材の側部から前記物干し部材を差し込み可能な物干し差込口と、前記物干し差込口の下方でハンガーのフックを引っ掛けて前記ハンガーを吊下げるハンガー吊下げ部と、前記ハンガー吊下げ部に設けられ、前記物干し差込口を含む平面に平行な仮想平面内での前記フックの回転を抑制するフック回転抑制部とを有することを特徴とする。
【０００７】
前記フック回転抑制部は、前記フックを保持するフック保持部を有し、前記フック保持部の内壁で前記回転を抑制してもよい。
前記フック回転抑制部は、少なくとも一部が前記内壁で囲まれて前記フックを挿入する開口部を有していてもよい。
前記フック保持部の先端側の前記開口部の端部は、該先端側に近付くほど幅が狭く形成されていてもよい。
前記ハンガー吊下げ部は、前記物干し差込口の間隙と同じ長さの間隔で対向配置された２つの前記フック回転抑制部を有していてもよい。
前記フック回転抑制部は、前記物干し差込口から伸びて形成された薄板形状を有していてもよい。
一方の前記フック回転抑制部に設けられた前記内壁と、他方の前記フック回転抑制部に設けられた内壁とは、前記回転を協働して抑制してもよい。
【０００８】
前記物干し差込口を側壁の一部に備え、前記ハンガー吊下げ部を前記物干し部材に支持する支持部を有していてもよい。
前記支持部と前記フック回転抑制部との境界に括れ部を有していてもよい。
前記支持部と前記ハンガー吊下げ部とに跨って前記括れ部に形成されたリブ部材をさらに有していてもよい。
【発明の効果】
【０００９】
本発明によれば、洗濯物などの干し物を乾燥時間の短縮化を図ることができる。
【図面の簡単な説明】
【００１０】
【図１】本発明の一実施形態による物干し補助具１の使用態様を示す図である。
【図２】本発明の一実施形態による物干し補助具１の外観斜視図である。
【図３】本発明の一実施形態による物干し補助具１の正投影図及び断面図である。
【図４】本発明の一実施形態による物干し補助具１のハンガーのフックの回転を抑制する機構について説明する図である。
【図５】本発明の一実施形態の変形例による物干し補助具１０の正投影図及び断面図である。
【発明を実施するための形態】
【００１１】
本発明の一実施形態による物干し補助具について図１から図５を用いて説明する。図１は、本実施形態による物干し補助具１の使用態様を示す図である。
図１に示すように、物干し補助具１は、例えば物干し竿１１の側部に支持部３を嵌め込んで物干し竿１１に装着して使用される。物干し補助具１は、ハンガー吊下げ部５に設けられた開口部５１ｃから開口部５３ｃ（又はその逆）に跨ってハンガーのフック（不図示）を引っ掛けるようになっている。これにより、物干し補助具１は、物干し竿１１の下方にハンガーに掛けられた干し物を吊下げることができる。なお、本実施形態による物干し補助具の吊下げ対象のハンガーは、干し物を掛ける本体部に対してフックが回転しない態様のハンガーである。
【００１２】
次に、物干し補助具１の概略構成について図２及び図３を用いて説明する。図２は、本実施形態による物干し補助具１の外観斜視図である。図２（ａ）は、物干し補助具１を上方から見た斜視図であり、図２（ｂ）は、物干し補助具１を下方から見た斜視図である。図３は、物干し補助具１の正投影図及び断面図である。図３中の上段には平面図が示され、中段には、左側面図、正面図、右側面図、背面図及び断面図が左からこの順に示され、下段には、底面図が示されている。なお、断面図は、正面図に示すＡ−Ａ線で物干し補助具１を切断した断面を示す図である。また、図２及び図３には、理解を容易にするため、後述する仮想平面αが破線で図示されている。
【００１３】
図２及び図３に示すように、物干し補助具１は、物干し竿などの物干し部材（不図示）の側部から物干し部材を差し込み可能な物干し差込口３ａと、物干し差込口３ａを備えた支持部３と、物干し差込口３ａの下方でハンガーのフック（不図示）を引っ掛けてハンガーを吊下げるハンガー吊下げ部５と、ハンガー吊下げ部５に設けられ、物干し差込口３ａを含む平面に平行な仮想平面α内でのハンガーのフックの回転を抑制する第１及び第２フック回転抑制部５１，５３とを有している。物干し差込口３ａは、支持部３とハンガー吊下げ部５との２つの境界と、この２つの境界の互いに対向する端点同士を結ぶ２本の仮想直線とで囲まれる領域である。
【００１４】
支持部３は、肉厚の薄い円筒形状を有し、側壁の一部に物干し差込口３ａを備えている。すなわち、図３中の左側面図及び右側面図に示すように、支持部３は、左側面及び右側面から見て、円弧形状を有している。内壁３ｂの表面は、物干し竿などの物干し部材の外表面に倣う形状に形成されている。本実施形態による物干し補助具１は、図１に示すように、装着対象が物干し竿１１である。このため、内壁３ｂの表面は、円柱形状の物干し竿１１の外表面に倣う曲面形状（本例では円弧状）に形成されている。
【００１５】
支持部３は、内壁３ｂの内側領域であって物干し差込口３ａで開放された内部空間３ｃを有している。支持部３は、物干し差込口３ａから差し込まれた物干し部材の側部を内部空間３ｃに内包するようになっている。支持部３は、物干し部材の側部を内部空間３ｃに内包することによって、ハンガー吊下げ部５を物干し部材に支持するようになっている。支持部３の中心軸から内壁３ｂまでの長さは、物干し補助具１の装着対象の物干し竿などの半径よりも若干短く形成されている。支持部３は、物干し部材を内部空間３ｃに内包すると物干し部材によって外側に押し広げられる。物干し補助具１は、例えば樹脂で形成されているので、弾性変形により元の状態に戻ろうとする。このため、支持部３の内壁３ｂの表面と物干し部材の外表面との密着度が向上する。これにより、物干し補助具１は、吊下げている干し物が風などによって揺り動かされても物干し部材上で移動するのが防止される。したがって、複数の物干し補助具１は、吊下げている干し物が揺り動かされたとしても、物干し部材に装着された当初の間隔を維持できる。
【００１６】
ハンガー吊下げ部５は、物干し差込口３ａを含む平面に平行な仮想平面α内でのハンガーのフックの回転を抑制する第１及び第２フック回転抑制部５１，５３を有している。第１フック回転抑制部（一方又は他方のフック回転抑制部の一例）５１及び第２フック回転抑制部（他方又は一方のフック回転抑制部の一例）５３は、物干し差込口３ａの間隙と同じ長さの間隔で対向配置されている。すなわち、ハンガー吊下げ部５は、２つのフック回転抑制部を有している。第１フック回転抑制部５１は、支持部３の一端部から伸びて形成された薄板形状を有している。第２フック回転抑制部５３は、支持部３の他端部から伸びて形成された薄板形状を有している。支持部３の中心軸に直交する仮想平面内において、支持部３の一端部、支持部３の中心軸及び支持部３の他端部の成す角が１８０°よりも小さくなるように、支持部３は形成されている。また、第１及び第２フック回転抑制部５３は、この仮想平面内において、支持部３の一端部及び他端部を結ぶ仮想弦とほぼ直交して形成されている。このため、物干し補助具１は、支持部３から第１及び第２フック回転抑制部５１，５３に向かって狭まる形状を有する。これにより、支持部３と第１フック回転抑制部５１との境界には括れ部７ａが形成され、支持部３と第２フック回転制御部５３との境界には括れ部７ｂが形成される。
【００１７】
第１フック回転抑制部５１は、ハンガーのフックを保持する第１フック保持部５１ａと、少なくとも一部が第１フック保持部５１ａの第１内壁５１ｂで囲まれた第１開口部５１ｃとを有している。第１開口部５１ｃは、第１内壁５１ｂ及び支持部３の一端部によって周囲が囲まれている。第１開口部５１ｃには、ハンガーのフックが挿入されるようになっている。図３中の正面図に示すように、第１開口部５１ｃは、支持部３側の第１フック保持部５１ａの端部中央の所定領域から先端部近傍まで第１フック保持部５１ａを切り欠いて形成されている。
【００１８】
第１フック保持部５１ａの先端側の第１開口部５１ｃの端部は、この先端側に近付くほど幅が狭く形成されている。また、第１開口部５１ｃはこの端部から支持部３側に向かってほぼ同じ幅に形成されている。支持部３側から第１フック保持部５１ａの先端側に向かう所定領域では、第１フック保持部５１ａの第１内壁５１ｂは、支持部３の一端部に対してほぼ直交している。また、第１フック保持部５１ａの先端側の第１内壁５１ｂは、この先端側に向かって凸形状に形成されている。すなわち、第１フック保持部５１ａの先端側の第１内壁５１ｂは、この先端側の中心に向かって傾斜して形成されている。
【００１９】
物干し補助具１は、第１フック保持部５１ａの先端側の第１内壁５１ｂがこの先端側に向かって凸形状に形成されることにより、フックの直径が異なる複数種類のハンガーを物干し部材に対して吊下げることができる。ハンガーは、自重及びこのハンガーに掛けられた干し物の重量によって鉛直下方に向かう力と、第１フック保持部５１ａの第１内壁５１ｂからフックが鉛直上方に向かって受ける力との均衡の取れた最適な位置でフック保持部５１ａに保持される。ハンガーの自重などにより、第１フック保持部５１ａの第１内壁５１ｂがハンガーと接触する位置は、フックの直径が短くなるほどフック保持部５１ａの先端側にずれる。物干し補助具１は、ハンガーのフックの直径に応じて第１内壁５１ｂの傾斜した領域で力の均衡の取れた最適な位置を形成できる。これにより、物干し補助具１は、支持部３側における第１開口部５１ｃの幅より若干短い直径のフックを有するハンガーから、第１フック保持部５１ａの先端側の第１開口部５１ｃの幅より若干短い直径のフックを有するハンガーまで、物干し差込口３ａを含む平面に平行な仮想平面α内でのフックの回転を抑制できる。
【００２０】
第２フック保持部５３ａは、第１フック保持部５１ａと同じ構成を有し、同じ機能を発揮するようになっている。すなわち、第２フック保持部５３ａは、支持部３の他端部側に設けられ点を除いて、第１フック保持部５１ａに関する上述の説明における「第１」を「第２」に読み替えたのと同一である。また、第２内壁５３ｂは、第１内壁５１ｂに関する上述の説明における「第１」を「第２」に読み替えたのと同一である。第２開口部５３ｃは、第２内壁５３ｂ及び支持部３の他端部によって周囲が囲まれている点を除いて、第１開口部５１ｃに関する上述の説明における「第１」を「第２」に読み替えたのと同一である。したがって、第２フック保持部５３ａ、第２内壁５３ｂ及び第２開口部５３ｃに関する説明は省略する。
【００２１】
次に、ハンガーのフックの回転を抑制する機構について図２及び図３を参照しつつ、図４を用いて説明する。図４は、物干し補助具１に掛けられたハンガーのフックと支持部３との間の所定位置における仮想平面αに沿って第１及び第２フック回転抑制部５１，５３を切断した切断面を模式的に示す図である。図４（ａ）は、第１及び第２開口部５１ｃ、５３ｃの最大幅より若干短いの幅のフック１５が第１及び第２フック回転抑制部５１，５３に掛けられた状態を示している。図４（ｂ）は、第１及び第２開口部５１ｃ、５３ｃの最小幅より若干長い幅のフック１７が第１及び第２フック回転抑制部５１，５３に掛けられた状態を示している。図４（ａ）及び図４（ｂ）において、仮想平面α内で回転していないフック１５及びフック１７は破線で図示され、仮想平面α内で回転しているフック１５及びフック１７は実線で図示されている。
【００２２】
第１フック回転抑制部５１の第１内壁５１ｂ及び第２フック回転抑制部５３の第２内壁５３ｂは、仮想平面α内でのフックの回転を抑制するようになっている。さらに、第１フック回転抑制部５１の第１内壁５１ｂと、第２フック回転抑制部５３の第２内壁５３ｂとは、仮想平面α内でのフックの回転を協働して抑制するようになっている。
【００２３】
図４（ａ）に示すように、フック１５が第１及び第２内壁５１ｂ，５３ｂに触れない状態で第１及び第２開口部５１ｃ，５３ｃに掛けられているときに、例えば風などでハンガーが右回りに揺れ動いたとする。仮想平面α内でハンガーが右回りに回転すると、フック１５も仮想平面α内で右回りに回転する。フック１５が仮想平面α内で角度「θ」だけ回転すると、フック１５の左側面の一部は、第１内壁５１ｂの角部Ｃ１１と接触し、フック１５の右側面の一部は、第２内壁５３ｂの角部Ｃ３２と接触する。ここで、角度「θ」は、フック１５の中心Ｏを通りフック１５の長手方向に平行な直線が、仮想平面α内で中心Ｏを回転軸として回転した角度である。なお、フック１５の長手方向に平行な直線が第１及び第２内壁５１ｂ，５３ｂに直交している状態を、角度「θ」＝「０」とする。図４（ａ）では理解を容易にするため、角度「θ」は、フック１５の左側面をこの直線と看做して図示されている。
【００２４】
第１及び第２フック回転抑制部５１，５３は、ハンガーの揺れ動きに応じて回転するフック１５から力を受けても変形しない程度の剛性を有している。このため、フック１５は、角度「θ」以上には回転できない。フック１５は、角部Ｃ１１及び角部Ｃ３２からの反作用により、仮想平面α内で中心Ｏを回転軸として左回りに回転する。図示は省略するが、フック１５は左回りに角度「−θ」だけ回転すると、フック１５の右側面の一部は、第１内壁５１ｂの角部Ｃ１２と接触し、フック１５の左側面の一部は、第２内壁５３ｂの角部Ｃ３１と接触する。フック１５は、角部Ｃ１２及び角部Ｃ３２によって角度「−θ」以上には回転できない。
【００２５】
このように、第１及び第２フック回転抑制部５１，５３は、仮想平面α内におけるフック１５の回転を角度「２θ」の範囲内に抑制することができる。第１及び第２フック回転抑制部５１，５３は、第１及び第２内壁５１ｂ，５３ｂによってフック１５の回転方向とは反対方向に力を加え、フック１５の回転が所定範囲に収まるように協働して抑制するようになっている。
【００２６】
図４（ｂ）に示すように、フック１７が第１及び第２内壁５１ｂ，５３ｂに触れない状態で第１及び第２開口部５１ｃ，５３ｃに掛けられているときに、例えば風などでハンガーが右回りに揺れ動いたとする。仮想平面α内でハンガーが右回りに回転すると、フック１７も仮想平面α内で右回りに回転する。フック１７が仮想平面α内で角度「φ」だけ回転すると、フック１７の左側面の一部は、第１内壁５１ｂの角部Ｃ１１と接触し、フック１７の右側面の一部は、第２内壁５３ｂの角部Ｃ３２と接触する。ここで、角度「φ」は、フック１７の中心Ｏを通りフック１７の長手方向に平行な直線が、仮想平面α内で中心Ｏを回転軸として回転した角度である。なお、フック１７の長手方向に平行な直線が第１及び第２内壁５１ｂ，５３ｂに直交している状態を、角度「φ」＝「０」とする。図４（ｂ）では理解を容易にするため、角度「φ」は、フック１７の左側面をこの直線と看做して図示されている。
【００２７】
第１及び第２フック回転抑制部５１，５３は、ハンガーの揺れ動きに応じて回転するフック１７から力を受けても変形しない程度の剛性を有している。このため、フック１７は、角度「φ」以上には回転できない。フック１７は、角部Ｃ１１及び角部Ｃ３２からの反作用により、仮想平面α内で中心Ｏを回転軸として左回りに回転する。図示は省略するが、フック１７は左回りに角度「−φ」だけ回転すると、フック１７の右側面の一部は、第１内壁５１ｂの角部Ｃ１２と接触し、フック１７の左側面の一部は、第２内壁５３ｂの角部Ｃ３１と接触する。フック１７は、角部Ｃ１２及び角部Ｃ３２によって角度「−φ」以上には回転できない。
【００２８】
このように、第１及び第２フック回転抑制部５１，５３は、仮想平面α内におけるフック１５の回転を角度「２φ」の範囲内に抑制することができる。第１及び第２フック回転抑制部５１，５３は、第１及び第２内壁５１ｂ，５３ｂによってフック１７の回転方向とは反対方向に力を加え、フック１７の回転が所定範囲内に収まるように協働して抑制するようになっている。
【００２９】
図４（ａ）及び図４（ｂ）に示すように、第１及び第２フック回転抑制部５１，５３は、フックの幅が太いほど、フックの回転角をより小さい角度に抑制できる。また、図４（ｂ）では、干し物が相対的に強い風力の風によって揺り動かされ、フック１７が第１及び第２内壁５１ｂ，５３ｂの端部の傾斜部を乗り上げて第１及び第２開口部５１ｃ，５３ｃの最大幅の範囲で回転した例を示している。しかしながら、干し物が相対的に弱い風力の風によって揺り動かされると、フック１７が第１及び第２内壁５１ｂ，５３ｂの端部の傾斜部を乗り上げるだけの回転力を受けない場合がある。この場合、フック１７は、第１及び第２内壁５１ｂ，５３ｂの端部の傾斜部によって回転が抑制される。このため、第１及び第２フック回転抑制部５１，５３は、回転角「２φ」よりも小さい角度範囲でフック１７の回転を抑制できる場合がある。
【００３０】
次に、本実施形態による物干し補助具１の使用方法について図１から図４を再び用いて説明する。
物干し補助具１を例えば物干し竿１１（図１参照）に取り付ける場合には、ハンガー吊下げ部５の第１フック回転抑制部５１及び第２フック回転抑制部５３の間に、物干し竿１１の側部を物干し竿１１の上方から挟み込む。次いで、支持部３を下方に押し下げることにより、物干し竿１１を第１及び第２フック回転抑制部５１，５３間及び物干し差込口３ａを介して支持部３の空間部３ｃ内に移動させる。その後、支持部３の中心軸を回転軸として物干し補助具１を物干し竿１１の外表面上で回転させ、ハンガー吊下げ部５が鉛直下方に位置するように物干し補助具１の装着位置を調整する。物干し補助具１がハンガーの回転を抑制できる範囲内に隣りのハンガーが位置しないだけの間隔を設け、図１に示すように、複数の物干し補助具１を同様の手法によって物干し竿１１に取り付ける。これにより、物干し竿１１への物干し補助具１の取り付けは完了する。
【００３１】
その後、干し物が掛けられたハンガーのフックを、第１開口部５１ｃ及び第２開口部５３ｃに跨るように挿入して第１及び第２フック保持部５１ａ，５３ａに引っ掛けて保持させる。ところで、ハンガーのフックは円弧形状を有している。このため、ハンガーのフックを上述の態様で第１及び第２フック保持部５１ａ，５３ａに跨らせて引っ掛けると、第１及び第２フック保持部５１ａ，５３ａは、フックの側壁からフックの中点に向かう方向に力を受ける。これにより、第１及び第２フック保持部５１ａ，５３ａが互いに近づく方向に力を受けるので、支持部３の両端部も互いに近づく方に力を受ける。その結果、支持部３の内壁３ｂの表面と物干し竿１１の外表面との密着度が向上し、物干し補助具１が物干し竿１１の外表面上をずれるのがより一層防止される。さらに、隣り合う物干し補助具１の間隔が取り付け当初から変わりにくくなるので、隣り合う干し物の間隔も物干し補助具１の取り付け当初の間隔から変わりにくくなり、十分な間隔を確保できる。その結果、干し物間に効率よく空気が流通するため、干し物の乾燥時間の短縮化を図ることができる。
【００３２】
物干し補助具１を物干し竿１１から取り外す場合には、まず、物干し補助具１からハンガーを取り除く。次に、第１フック回転抑制部５１及び第２フック回転抑制部５３が互いに遠ざかるようにハンガー吊下げ部５を広げた状態で、物干し補助具１を物干し竿１１から取り外す。物干し補助具１は、ハンガー吊下げ部５を広げたとしても弾性変形により元の形状に戻る。このように、物干し補助具１は物干し竿１１に着脱可能に設置できる。
【００３３】
以上説明したように、本実施形態による物干し補助具１は、第１及び第２フック回転抑制部５１，５３を有しているので、干し物が掛けられたハンガーのフックの回転を抑制することができる。これにより、隣り合う干し物は風などで揺り動かされても互いに重ならなくなり、互いに隣り合って物干し竿１１に掛けられた干し物間に効率よく空気が流通するため、干し物の乾燥時間の短縮化を図ることができる。
【００３４】
（変形例）
次に、本実施形態の変形例による物干し補助具について図５を用いて説明する。図５は、本変形例による物干し補助具１０の正投影図及び断面図である。図５中の上段には平面図が示され、中段には、左側面図、正面図、右側面図、背面図及び断面図が左からこの順に示され、下段には、底面図が示されている。なお、断面図は、正面図に示すＢ−Ｂ線で物干し補助具１０を切断した断面を示す図である。なお、図１から図４に示す上記実施形態による物干し補助具１と同一の機能・作用を奏する構成要素には、同一の符号を付してその説明は省略する。
【００３５】
図５に示すように、本変形例による物干し補助具１０は、支持部３とハンガー吊下げ部５とに跨って括れ部７ａ，７ｂに形成されたリブ部材１３ａ，１３ｂ，１３ｃ，１３ｄを有している。物干し補助具１０をその左側面及び右側面から見て、リブ部材１３ａ，１３ｂ，１３ｃ，１３ｄは、三角形状を有している。リブ部材１３ａ及びリブ部材１３ｂは、支持部３と第１フック保持部５１ａとの間に跨って形成されている。リブ部材１３ａは、左側面側に形成され、リブ部材１３ｂは、右側面側に形成されている。リブ部材１３ｃ及びリブ部材１３ｄは、支持部３と第２フック保持部５３ａとの間に跨って形成されている。リブ部材１３ｃは、右側面側に形成され、リブ部材１３ｂは、左側面側に形成されている。
【００３６】
リブ部材１３ａ，１３ｂ，１３ｃ，１３ｄが形成されていることにより、支持部３とハンガー吊下げ部５との境界の接続強度の向上を図ることできる。これにより、物干し補助具１０を物干し部材に繰り返し着脱しても、支持部３とハンガー吊下げ部５との境界が破損するのを防止できる。
【００３７】
以上説明したように、本変形例による物干し補助具１０は、第１及び第２フック回転抑制部５１，５３を有しているので、上記実施形態による物干し補助具１と同様の効果が得られる。さらに、本変形例による物干し補助具１０は、リブ部材１３ａ，１３ｂ，１３ｃ，１３ｄを有しているので、支持部３とハンガー吊下げ部５との境界が破損するのを防止できる。
【００３８】
本発明は、上記実施の形態に限らず、種々の変形が可能である。
上記実施形態による物干し補助具は、支持部３が物干し部材の下方に回り込んで形成された括り部７ａ，７ｂを有しているが、本発明はこれに限られない。例えば、支持部３は物干し部材の下方に回り込まないように形成されていてもよい。支持部３は、物干し補助具１，１０の左側面及び右側面から見て、半円の円弧状を有し、支持部３の両端部から仮想平面αに対して直交する方向にハンガー吊下げ部５が伸びて形成されていてもよい。この場合であっても、第１開口部５１ｃ及び第２開口部５３ｃに跨るようにハンガーのフックを挿入することにより、第１及び第２フック保持部５１ａ，５３ａは、フックの側壁からフックの中点に向かう方向に力を受けるので、支持部３の内壁３ｂの表面と物干し部材の外表面との密着度が向上し、物干し補助具が物干し部材の外表面上をずれるのが防止される。その結果、干し物間に効率よく空気が流通するため、干し物の乾燥時間の短縮化を図ることができる。
【符号の説明】
【００３９】
１，１０  物干し補助具
３  支持部
３ａ  物干し差込口
３ｂ  内壁
３ｃ  空間部
５  ハンガー吊下げ部
７ａ，７ｂ  括れ部
１１  物干し竿
１３ａ，１３ｂ，１３ｃ，１３ｄ  リブ部材
１５，１７  フック
５１  第１フック回転抑制部
５１ａ  第１フック保持部
５１ｂ  第１内壁
５１ｃ  第１開口部
５３  第２フック回転抑制部
５３ａ  第２フック保持部
５３ｂ  第２内壁
５３ｃ  第２開口部
【図１】
2016010610.tif 000003
【図２】
2016010610.tif 000004
【図３】
2016010610.tif 000005
【図４】
2016010610.tif 000006
【図５】
2016010610.tif 000007